(57)【要約】【課題】包装箱の内部スペースを上下に分割して物品を収納することにより、包装箱に収納できる物品の量を従来の２倍以上に増すことができる構造及び組立が簡単で安価に製造できる包装箱を提供する。【解決手段】予め定めた形状に切断した一枚のシート材を、予め定めた折線に沿って折り曲げることにより、底部と該底部を囲む前後及び左右の側壁部を有するように組み立てられた包装箱２において、前後の側壁部２０、６０の左右両端からそれぞれ内フラップを連接して延出し、内フラップの一部に形成された凸状のビード部に設けられた切り欠き溝にシート１０を挿入することにより、包装箱２の内部スペースを上下方向に分割する。【選択図】　図１
2004010151.tif 000002
【特許請求の範囲】
【請求項１】
予め定めた形状に切断した一枚のシート材を、予め定めた折線に沿って折り曲げることにより、底部と該底部を囲む前後及び左右の側壁部とを有するように組み立てられ、前記左右の側壁部における前記底部側とは反対側の端部からそれぞれ連接され、前記左右の側壁部の上端部で前記底部に平行な面を形成するように前記左右の側壁部の内側へ折り曲げられる上フラップと、前記上フラップの前後両端からそれぞれ連接されて延出し、前記上フラップの前後両端で前記前後の側壁部の底部側へ折り曲げられ、前記前後の側壁部の外側面に隣接する支持部とを備えた包装箱において、
前記前後の側壁部の左右両端からそれぞれ連接されて延出し、前記前後の側壁部の左右両端で前記包装箱の内側へ折り曲げられ、前記左右の側壁部の内側面に隣接する内フラップと、
前記内フラップの一部に、前記内フラップの上端から下端まで延びる少なくとも３本の平行な折線を設け、該折線に沿って前記内フラップを折り畳むことにより、前記内フラップに前記包装箱の内側方向へ凸状に形成されるビード部と、
前記ビード部の長さ方向の一部に切り欠き溝を設け、該切り欠き溝に挿入されることにより前記包装箱の内部スペースを前記包装箱の前記底部に平行な平面で上下に分割するシートと、
を備えたことを特徴とする包装箱。
【請求項２】
前記内フラップの前記ビード部の下端部が、前記包装箱の前記底部に設けられたスリットに嵌合することにより、前記内フラップが前記包装箱の前記底部に固定されることを特徴とする、請求項１記載の包装箱。
【請求項３】
前記ビード部の前記切り欠き溝の上面が、前記ビード部の突出方向側に向かって上方に開いたテーパ状になっていることを特徴とする、請求項１記載の包装箱。
【請求項４】
前記シートが、前記内フラップの一部から切り取られた仕切板の組み合わせにより構成される十字仕切板により、支持されることを特徴とする、請求項１記載の包装箱。
【請求項５】
前記シートに、前記シートを折り曲げるための折曲げ線と、前記シートを上方へ引き起こしあるいは前記シートを前記内フラップに設けられた前記ビード部の前記切り欠き溝に挿入するための指掛け穴とが設けられていることを特徴とする、請求項１記載の包装箱。
【請求項６】
前記シート材及び前記シートが、段ボール紙製であることを特徴とする、請求項１ないし５のいずれかに記載の包装箱。
【発明の詳細な説明】
【０００１】
【発明の属する技術分野】
本発明は、包装箱の中における物品を上下に分割して収納できる包装箱に関する。
【０００２】
【従来の技術】
従来より、この種の包装箱としては、予め定めた形状に切断した一枚のシート材を、予め定めた折線に沿って折り曲げることにより、底部と該底部を囲む前後左右の側壁部を有するように組み立てられるものが知られている。そのような包装箱では、前後あるいは左右の対向する側壁部から連接されるフラップを備え、そのフラップを側壁部の上端で包装箱の内側へ折り曲げることにより、包装箱の上面に包装箱を部分的に覆う上蓋部を形成し、フラップの両端に連接された支持部を側壁部の外側面に隣接させることにより、当該側壁部を補強し包装箱の形状保持を図るものが知られている。
【０００３】
【発明が解決しようとする課題】
しかし、そのような包装箱の場合、包装箱の内部スペースが上下方向に１段式であるため、包装箱に収納できる物品の量は包装箱の底部の面積により定められてきた。包装箱に収納する物品の量を増加させるために、包装箱の中に物品を積み重ねて収納すると、物品同士が接触し、圧縮されあるいは下側の物品がその上側の物品の重量などにより損傷を受けるという問題があった。
【０００４】
この問題を解決するために、包装箱の中に上下方向の仕切板を設けることなどが実施されているが、そのような仕切板を包装箱へ取付け、固定するための特別の構造が必要で、且つ、包装箱全体としての構造が複雑となり、その結果として、包装箱の製造原価が増加するという問題があった。
【０００５】
従って、本発明の目的は、包装箱の内部スペースを上下に分割して物品を収納することにより、包装箱に収納できる物品の量を従来の２倍以上に増加させることができる構造及び組立が簡単で安価な包装箱を提供することにある。
【０００６】
【課題を解決するための手段及び発明の効果】
上記目的を達成するために、本発明による包装箱は、予め定めた形状に切断した一枚のシート材を、予め定めた折線に沿って折り曲げることにより、底部と該底部を囲む前後及び左右の側壁部とを有するように組み立てられ、前記左右の側壁部における前記底部側とは反対側の端部からそれぞれ連接され、前記左右の側壁部の上端部で前記底部に平行な面を形成するように前記左右の側壁部の内側へ折り曲げられる上フラップと、前記上フラップの前後両端からそれぞれ連接されて延出し、前記上フラップの前後両端で前記前後の側壁部の底部側へ折り曲げられ、前記前後の側壁部の外側面に隣接する支持部とを備えた包装箱において、　前記前後の側壁部の左右両端からそれぞれ連接されて延出し、前記前後の側壁部の左右両端で前記包装箱の内側へ折り曲げられ、前記左右の側壁部の内側面に隣接する内フラップと、前記内フラップの一部に、前記内フラップの上端から下端まで延びる少なくとも３本の平行な折線を設け、該折線に沿って前記内フラップを折り畳むことにより、前記内フラップに前記包装箱の内側方向へ凸状に形成されるビード部と、前記ビード部の長さ方向の一部に切り欠き溝を設け、該切り欠き溝に挿入されることにより前記包装箱の内部スペースを前記包装箱の前記底部に平行な平面で上下に分割するシートと、を備えたことを特徴とする。
【０００７】
このように構成すると、前記シートにより包装箱の内部スペースが上下に分割されるため従来の包装箱に比較して２倍以上の物品を収納することができる。その上、従来の包装箱を２個作る場合に比べ包装箱が１個で済むことから包装箱の材料を減少させることができる。更に、包装箱の構造が簡単で容易に組み立てることができ、組立作業のみにより包装箱が完成されるため、包装箱の構成部品同士を接着したり別材料の係合部品などを用いる必要がないので包装箱を安価に製造することができる。又、物品を積み重ねて収納することがないため、物品同士が接触し、圧縮されあるいは下側の物品がその上側の物品の重量により損傷を受けることがない。
【０００８】
前記内フラップの前記ビード部の下端部が、前記包装箱の前記底部に設けられたスリットに嵌合することにより、前記内フラップが前記包装箱の前記底部に固定されるとよい。
そうすると、前記ビード部が前記底部に固定されるため、前記ビード部の長さ方向の一部に前記ビード部の長さ方向に直角方向に形成された切り欠き溝の位置が固定され、前記切り欠き溝に挿入される前記シートの位置及び姿勢を安定させることができる。
【０００９】
前記ビード部の前記切り欠き溝の上面が、前記ビード部の突出方向側に向かって上方に開いたテーパ状になっているとよい。
そのように形成すると、前記シートを前記ビード部の前記切り欠き溝に容易に上方から挿入することができる。又、前記シートに折曲げ線を設けると共に指掛け穴を設けておけば、前記シートを前記切り欠き溝から除去する際にも、前記シートに設けられた指掛け穴を用いて容易に前記シートを上方に引き起こし、折曲げ線に沿って前記シートを上方に折り曲げることができるので物品の収納あるいは取り出し作業の作業効率を向上させることができる。
【００１０】
前記シートが、前記内フラップの一部から切り取られた仕切板の組み合わせにより構成される十字仕切板により、支持されるとよい。
それにより、別のシート材から仕切板を作成する必要がなく包装箱の製造原価を低減させることができる。又、上側の段に収納された物品の重みによる前記シートの変形が十字仕切板により防止される。従って、上側の段に収納された物品が下側の段に収納された物品へ影響を及ぼすことがない。その結果、収納された物品が包装箱の中で移動することががなく損傷を受けることがない。
【００１１】
前記シートに、前記シートを折り曲げるための折曲げ線と、前記シートを上方へ引き起こしあるいは前記シートを前記内フラップに設けられた前記ビード部の前記切り欠き溝に挿入するための指掛け穴とが設けられているとよい。
そのように形成すると、包装箱の下側の段に物品を収納するために前記シートを容易に上方に引き起こし、折曲げ線に沿って折り曲げ、折り曲げられた前記シートと側壁部との間の隙間から物品を下側の段に収納することができるだけでなく、下側の段に物品を収納し終わった後、前記シートを上から軽く下方へ押して前記シートの折り曲げを伸ばして前記シートを平面状態にしてその上に物品を収納することができる。
【００１２】
前記シート材及び前記シートが、段ボール紙製であるとよい。
それにより、前記シート材及び前記シートは段ボール紙製であることから包装箱の重量を軽く形成することができるだけでなく、包装箱自体を安価なものとすることができ、しかも包装箱を廃棄しても全体が段ボール紙のみで形成されているため環境を汚染することがない。
【００１３】
【発明の実施の形態】
以下に、本発明の実施形態を、添付図面に基づいて説明する。
図１は、本発明による包装箱の完成状態を示す斜視図である。図２は、図１のシートを取り除いた包装箱の下部を示す斜視図である。図３は、図２の包装箱を一枚のシート材に展開した展開形状を示す図である。
【００１４】
図１〜３を参照して包装箱２の構成を説明する。
包装箱２は、図３に示す展開形状のシート材４が折線に沿って折り曲げられ組み立てられている。図３において、例えば、長方形に成形された底部５の前後左右の周縁から略長方形状の前側壁部２０、後側壁部６０、右側壁部４０、左側壁部８０が連接され、それぞれ折線２１、６１、４１、８１に沿って内側へ折り曲げられて底部５を囲む前後左右の側壁部を構成している。
【００１５】
底部５には、後述の前右内フラップ２２、前左内フラップ２４、後右内フラップ６２、後左内フラップ６４の一部で形成されるビード部のビード下端部が嵌合し、前右内フラップ２２、前左内フラップ２４、後右内フラップ６２、後左内フラップ６４を底部５に固定するためのスリット６が４箇所設けられている。
【００１６】
前側壁部２０は、折線２１に沿って内側へ折り曲げられ包装箱２の前側の側壁部を構成する。前側壁部２０と底部５との間の折線２１の近辺には、後述の図４に示す支持部４４の先端部に設けられた係止フック４８を係合するための係止穴２６が２箇所設けられている。
【００１７】
前側壁部２０の底部５とは反対側の端部にはフランジ部２８と後述の図４に示す右上フラップ４２を係合するための係止フック２９が２箇所設けられている。同様に、後側壁部６０は、図３に示すように、折線６１に沿って内側へ折り曲げられ包装箱２の後側の側壁部を構成する。後側壁部６０と底部５との間の折線６１の近辺には、後述の支持部の先端部に設けられた係止フックを係合するための係止穴６６が２箇所設けられている。後側壁部６０の底部５とは反対側の端部にはフランジ部６８及び後述の右上フラップ４２を係合するための係止フック６９が２箇所設けられている。
【００１８】
フランジ部２８、６８は包装箱２が上下方向に積み重ねられたとき、包装箱２の上に置かれた別の包装箱２の前後の側壁部を挟む。そうすることにより、積み重ねられた包装箱２の荷崩れを防ぎ、包装箱２に収納された物品の包装箱２内での移動を防ぐことができる。
【００１９】
前側壁部２０の右端には、前側壁部２０と同じ高さの前右内フラップ２２が連接されて右方へ延びている。前右内フラップ２２は、折線２３に沿って内側へ折り曲げられる。前側壁部２０の左端には、前側壁部２０と同じ高さの前左内フラップ２４が連接されて左方へ延びている。前左内フラップ２４は、折線２５に沿って内側へ折り曲げられる。同様に後側壁部６０の左右両端には、後側壁部６０と同じ高さの後右内フラップ６２及び後側壁部６０と同じ高さの後左内フラップ６４が連接され、それぞれ左右方向に延びている。後右内フラップ６２は折線６３に沿って内側へ折り曲げられ、後左内フラップ６４は折線６５に沿って内側へ折り曲げられる。
【００２０】
右側壁部４０は、折線４１に沿って内側へ折り曲げられ包装箱２の右側の側壁部を構成する。右側壁部４０には包装箱２を持ち運びするための指掛け穴５２が設けられている。右側壁部４０の底部５側とは反対側の端部から右上フラップ４２が連接され、右上フラップ４２は折線５１に沿って内側へ折り曲げられる。
【００２１】
同様に、左側壁部８０は、折線８１に沿って内側へ折り曲げられ包装箱２の左側の側壁部を構成する。左側壁部８０には包装箱２を持ち運びするための指掛け穴９２が設けられている。左側壁部８０の底部５側とは反対側の端部から左上フラップ８２が連接され、左上フラップ８２は折線７１に沿って内側へ折り曲げられる。
【００２２】
次に、前側壁部２０に連接された前右内フラップ２２、前左内フラップ２４及び後側壁部６０に連接された後右内フラップ６２、後左内フラップ６４について説明する。
前右内フラップ２２、前左内フラップ２４、後右内フラップ６２、後左内フラップ６４については、その形状、構造及び機能が全て同じであるので、それらのうちの前右内フラップ２２についてのみ図４を参照して説明し、前左内フラップ２４、後右内フラップ６２、後左内フラップ６４については説明を省略する。図４は、前右内フラップ２２とその周辺部を拡大して示した図である。
【００２３】
図４に示すように、前右内フラップ２２の一部に前側壁部２０と底部５との間の折線２１に直角方向に３本の平行な折線３１ａ、３１ｂ、３１ｃが前右内フラップ２２の全長に亘って設けられている。そして、前右内フラップ２２が折線３１ａ、３１ｂに沿って谷折りとなり、折線３１ｃに沿って山折りとなるように折り畳まれる。
【００２４】
ここで、谷折りとは図４の紙面の上面側が凹となる折り曲げを意味し、山折りとは紙面の上面側が凸となる折り曲げを意味する。
そうすると、前右内フラップ２２が折線３１ａ、３１ｂに沿って谷折りされ、且つ、折線３１ｃに沿って山折りされる結果、前右内フラップ２２には折線３１ｃを頂線とする一定幅のビード部３０ａ、３０ｂが折線２１に直角方向に形成される。ビード部３０ａ、３０ｂは、図４から分かるように、前側壁部２０と底部５との間の折線２１に直角方向即ち上下方向に設けられ、前右内フラップ２２が、前述のように、折線２３に沿って内側へ折り曲げられ、右側壁部４０の内側面に隣接するとき、包装箱２の内側方向へ凸状に形成される。
【００２５】
ビード部３０ａ、３０ｂにはその長さ方向の一部にビード部３０ａ、３０ｂの長さ方向に直角方向にビード部３０ａ、３０ｂを切り欠く切り欠き溝３４が設けられている。
更に、図４における前右内フラップ２２と右側壁部４０との間にはスリット３２ａ、３２ｂが設けられている。ここで、折線２３は僅かに前側壁部２０の側に傾いている。即ち前右フラップ２２はその上端の幅が下端の幅より僅かに大きくなるように成形されている。従って、前右内フラップ２２が折線２３に沿って内側へ折り曲げられ、右側壁部４０の内側面に隣接した場合、前右内フラップ２２と右側壁部４０との高さが等しくなるようにされている。又、折線２３が少し斜めになることにより前側壁部２０と後側壁部６０とが右側壁部４０あるいは左側壁部８０の方向から見ると、上方に向かって僅かに外開き状になる。そのため、包装箱２の上に別の包装箱２を積み重ねた場合、上側の包装箱２の底部５の前後両端が下側の包装箱２の前側壁部２０の上端に設けられたフランジ部２８あるいは後側壁部６０の上端に設けられたフランジ部６８と干渉することなく、フランジ部２８あるいはフランジ部６８を損傷することがない。その結果、フランジ部２８、６８は包装箱２が上下方向に積み重ねられたとき、包装箱２の上に置かれた別の包装箱２の前後の側壁部を挟む。そうすることにより、前述のように、積み重ねられた包装箱２の荷崩れを防ぎ、包装箱２に収納された物品の包装箱２内での移動を防ぐことができる。
【００２６】
ビード部３０ａ、３０ｂの下端部３６ａ，３６ｂは、前右内フラップ２２の下端より下方に突き出ている。この突き出た下端部３６ａ，３６ｂが底部５に設けられたスリット６に嵌合することにより、ビード部３０ａ、３０ｂが底部５に固定され、従って、前右内フラップ２２が底部５に固定される。
【００２７】
前右内フラップ２２の一部から仕切板３８が半切り線３５に沿って切り取られる。仕切板３８は、略長方形の平板である。仕切板３８にはシート材４の板厚に等しい幅のスリット３８ａが設けられている。スリット３８ａの上端部には切り欠き３８ｂが設けられており、後述の仕切板同士の組み付け作業を容易にしている。このようにすると、図７に示すように、前右内フラップ２２から切り取られた仕切板３８と後右内フラップ６２から切り取られた仕切板５８を互いに上下方向を逆にして仕切板３８のスリット３８ａに仕切板５８のスリット５８ａを上から係合させ、図６に示す十字仕切板８を構成することができる。
【００２８】
その場合、構成された十字仕切板の高さが、ビード部３０ａ、３０ｂに設けられた切り欠き溝３４に挿入されるシート１０の下面と底部５との間の距離に等しくなるように仕切板３８、５８の長さ方向の寸法を決めるとよい。そうすると、十字仕切板８を底部５の上に置いた際、シート１０が平面の状態で下側から十字仕切板８により支持されることができる。
【００２９】
同様にして、前左内フラップ２４から切り取られた仕切板９８と後左内フラップ６４から切り取られた仕切板７８とを互いに上下方向を逆にして仕切板９８と仕切板７８に設けられたスリット同士を係合することにより同様の十字仕切板８を構成することができる。従って、本実施例では２個の十字仕切板８を形成することができる。
【００３０】
次に、右側壁部４０の底部５とは反対側に連接された右上フラップ４２と、左側壁部８０の底部５とは反対側に連接された左上フラップ８２とはその形状、構造、機能が全て同じであるので、ここでは図４を参照して右上フラップ４２についてのみ説明し、左上フラップ８２については説明を省略する。
【００３１】
右上フラップ４２は、右側壁部４０における底部５とは反対側の端部から連接され、右側壁部４０の上端部で底部５に平行面を形成するように包装箱２の内側へ折線５１に沿って折り曲げられる略帯状のフラップである。右上フラップ４２の両端部には、右上フラップ４２の端部と同じ幅の支持部４４、４６が連接されている。更に、右上フラップ４２の両端部には、前側壁部２０の上端部に設けられた係止フック２９及び後側壁部６０の上端部に設けられた係止フック６９を係合するためのスリット４９が開設されている。
【００３２】
支持部４４は、右上フラップ４２から前右内フラップ２２に隣接して延出し、支持部４６は、図示しないが、右上フラップ４２から後右内フラップ６２に隣接して延出している。支持部４４、４６はその形状、構造及び機能が全て同じであるので、ここでは支持部４４についてのみ説明する。
【００３３】
支持部４４は、右上フラップ４２の端部と同じ幅の略長方形状でその先端部に係止フック４８が形成されている。支持部４４は、右側壁部４０の上端部で折線５３に沿って内側へ折り曲げられる。そうすると、支持部４４は、前側壁部２０の外側面に隣接し前側壁部２０を外側から支持する。そして、支持部４４の先端部に形成された係止フック４８が折線５７に沿って内側へ折り曲げられ、前側壁部２０と底部５との間の折線２１の近辺に設けられた係止穴２６に係合されることにより、支持部４４が前側壁部２０に固定される。更に、係止フック４８には爪部５０が形成されており、爪部５０は係止フック４８と係止穴２６との間の係合を一層強固なものにしている。
【００３４】
図４に示す前右内フラップ２２のビード部３０ａ、３０ｂに設けられた切り欠き溝３４と同様の切り欠き溝が前左内フラップ２４、後右内フラップ６２、後左内フラップ６４にも設けられている。これらの切り欠き溝にシート１０が挿入される。そうすることにより、シート１０が包装箱２の内部スペースを底部５に平行な平面で上下に分割する。シート１０を図５に示す。シート１０には、シート１０を上方に凸状となるように折り曲げるための折曲げ線１１とシート１０を上方へ引き起こすための指掛け穴１２が少なくとも２箇所設けられている。更に、前述のように、切り欠き溝３４の上面が、ビード部３０ａ、３０ｂの長さ方向に直角方向から見てビード部３０ａ、３０ｂの突出方向側に向かって上方に開いたテーパ状になっているため、シート１０を切り欠き溝３４に容易に挿入し、あるいは取り外すことができる。
【００３５】
次に、包装箱２の組立て方を説明する。
まず、図３におけるシート材４の底部５の周囲にある前側壁部２０、右側壁部４０、後側壁部６０、左側壁部８０を折線２１、４１、６１、８１に沿ってそれぞれ内側へ折り曲げ、底部５を前後左右で囲む側壁部を作る。
【００３６】
次に、前右内フラップ２２を折線２３に沿って内側へ折り曲げると同時に、前右内フラップ２２を図４における半切り線３１ｃに沿って山折りとし、更に折線３１ａ、３１ｂに沿って谷折りとなるように折り畳むことにより、前右内フラップ２２に包装箱２の内側へ凸状のビード部３０ａ、３０ｂが形成される。
【００３７】
そして、仕切板３８を半切り線３５に沿って前右内フラップ２２から切り取っておく。その状態で前右内フラップ２２を右側壁部４０の内側面に隣接させ、前右内フラップ２２のビード下端部３６ａ、３６ｂを底部５に設けられたスリット６に嵌合させ、前右内フラップ２２を底部５に固定する。同様にして、後右内フラップ６２にもビード部を形成し、後右内フラップ６２を右側壁部４０の内側に隣接させビード部の下端部を底部５のスリット６に嵌合させ、後右内フラップ６２を底部５に固定する。又、前左内フラップ２４と後左内フラップ６４とについても同様にビード部を形成し前左内フラップ２４と後左内フラップ６４とを左側壁部８０の内側へ隣接させそれぞれ底部５に固定する。
【００３８】
次に、右側壁部４０に設けられた右上フラップ４２を折線５１に沿って内側へ折り曲げ、更に右上フラップ４２に連接する支持部４４を折線５３に沿って前側壁部２０の底部側へ折り曲げる。そして、折り曲げられた支持部４４の先端部の係止フック４８を前側壁部２０の下端部近辺に設けられた係止穴２６に外側から係合させることにより、支持部４４を前側壁部２０の外側面に隣接させ固定する。更に、その際、右上フラップ４２の両端部に開設されたスリット４９に前側壁部２０に設けられた係止フック２９及び後側壁部６０に設けられた係止フック６９を係合させることにより右上フラップ４２が強固に固定される。
【００３９】
仕切板３８、５８から作られた十字仕切板８を底部５の上に置き、その上にシート１０を置いてシート１０をビード部３０ａ、３０ｂに設けられた切り欠き溝３４に挿入する。それにより、包装箱２の内部スペースがシート１０によって上下方向に２分割され、且つシート１０は底部５の上に置かれた十字仕切板８によって下側から支持される。
【００４０】
このようにして組み立てられた包装箱２を使用するには、まず、シート１０の指掛け穴１２を用いてシート１０を上方に引き起こし、その折曲げ線１１に沿って折り曲げ、シート１０と左右の側壁部４０、８０との間に物品を収納するために必要な隙間を作る。あるいは、必要に応じてシート１０をビード部３０ａ、３０ｂに設けられた切り欠き溝３４から一旦取り外し除去してもよい。下側の段に物品を収納した後、２個の十字仕切板８を底部５の所望の場所に置き、シート１０を再び切り欠き溝３４に挿入する。切り欠き溝３４には上向きのテーパが設けられているためシート１０を容易に挿入することができる。次に、シート１０を上から軽く下方へ押して折曲げ線１１に沿って折り曲げられていたシート１０を平面状態にする。これらの作業は指掛け穴１２を用いて簡単に行うことができる。そして、包装箱２の上側の段に物品を収納する。このようにすると、シート１０により包装箱の内部スペースが上下に分割されるため従来の包装箱に比較して２倍以上の物品を収納することができる。又、物品を積み重ねて収納することがないため、物品同士が接触し、圧縮されあるいは下側の物品がその上側の物品の重量により損傷を受けることがない。
【００４１】
このような包装箱２を上下方向に２個以上積み重ねる場合は、図１に示す右上フラップ４２及び左上フラップ８２がその上に積まれる包装箱２の底部の受け面となり、図３に示す前側壁部２０のフランジ部２８と後側壁部６０のフランジ部６８とでその上に積まれる包装箱２の前後の側壁部を挟むことになるため、積み上げられた包装箱２が安定し荷崩れの心配がなく収納された物品の包装箱２内での移動も防ぐことができる。
【００４２】
又、シート材４及びシート１０は段ボール紙製であることから包装箱２の重量を軽く形成することができるだけでなく、包装箱２自体を安価に製造することができ、しかも包装箱２を廃棄しても全体が段ボール紙のみで形成されているため環境を汚染することがない。
【００４３】
以上本発明の実施例を説明したが、本発明はこれに限定されず、本発明の要旨を逸脱しない範囲内で種々の態様を採用することができる。
例えば、本実施例では、左右の側壁部に連接された上フラップと前後の側壁部に連接された内フラップとの組み合わせについて説明したが、左右の側壁部に連接された内フラップと前後の側壁部に連接された上フラップとを組み合わせることもできる。
【００４４】
又、本実施例では、包装箱２の底部５の形状を長方形としたが、長方形に限定されることはなく、例えば、正方形であってもよい。
更に、ビード部の断面形状は三角形に限らず必要に応じて、例えば、４辺形であってもよい。
【図面の簡単な説明】
【図１】包装箱の完成状態を示す斜視図である。
【図２】包装箱の下部を示す斜視図である。
【図３】包装箱を一枚のシート材に展開した展開形状を示す図である。
【図４】前右内フラップ及びその周辺部を拡大した図である。
【図５】シートを示す図である。
【図６】十字仕切板を示す斜視図である。
【図７】仕切板を示す図である。
【符号の説明】
２・・・包装箱、４・・・シート材、５・・・底部、６・・・スリット、８・・・十字仕切板、１０・・・シート、１１・・・折曲げ線、１２・・・指掛け穴、２０・・・前側壁部、２１・・・折線、２２・・・前右内フラップ、２３・・・折線、２４・・・前左内フラップ、２５・・・折線、２６・・・係止穴、２８・・・フランジ部、２９・・・係止フック、３０ａ，３０ｂ・・・ビード部、３１ａ，３１ｂ・・・折線、３１ｃ・・・折線、３２ａ，３２ｂ・・・スリット、３４・・・切り欠き溝、３５・・・半切り線、３６ａ，３６ｂ・・・下端部、３８・・・仕切板、３８ａ・・・スリット、３８ｂ・・・切り欠き、４０・・・右側壁部、４１・・・折線、４２・・・右上フラップ、４４，４６・・・支持部、４８・・・係止フック、４９・・・スリット、５０・・・爪部、５１・・・折線、５２・・・指掛け穴、５３，５５，５７・・・折線、５８・・・仕切板、５９・・・折線、６０・・・後側壁部、６１・・・折線、６２・・・後右内フラップ、６３・・・折線、６４・・・後左内フラップ、６５・・・折線、６６・・・係止穴、６８・・・フランジ部、６９・・・係止フック、７１，７３，７５，７７・・・折線、７８・・・仕切板、８０・・・左側壁部、８１・・・折線、８２・・・左上フラップ、８９・・・スリット、９２・・・指掛け穴、９８・・・仕切板
【図１】
2004010151.tif 000003
【図２】
2004010151.tif 000004
【図３】
2004010151.tif 000005
【図４】
2004010151.tif 000006
【図５】
2004010151.tif 000007
【図６】
2004010151.tif 000008
【図７】
2004010151.tif 000009